(57)【要約】　　　（修正有）【課題】発光指示ランプを具えた自動車用シガレットライタ。【解決手段】電源ソケット１とシガレットライタ２で組成され、該シガレットライタのハンドル２９にあって、底管２９ａに外管座２９ｂが套設され、外管座の外端に透明ハンドル２９ｃが取り付けられ、外管座内にシガレットライタ回路に接続された基板２９ｄが取り付けられ、該基板に発光ダイオード２９ｇが取り付けられ、該発光ダイオードが透明ハンドルの底端に位置し、外管座にシガレットライタ回路に接続されたスイッチ２９ｈが取り付けられ、シガレットライタが電源ソケットに挿入されハンドル押圧により回路が導通する時、発光ダイオードが点灯し、外管座のスイッチにより回路が導通して電熱板２７が導通し発熱し、電熱板が高温に達した後、電源ソケットの管体のコ形の挟持片１２が内管の内端キャップ２４を釈放し、シガレットライタの内管を外向きに退出させて回路を切断して発光ダイオードをオフとする。【選択図】　　　　図３
0003099612.tif 000002
【実用新案登録請求の範囲】
【請求項１】
　電源ソケットとシガレットライタで組成され、該電源ソケットにあって管体の側辺に二つの相互に対称な弾性片が設けられ、且つ管体の内底面にコ形の挟持片が設けられ、該コ形の挟持片と管体の間に絶縁ブロックが設けられ、導電棒がコ形の挟持片を通ると共に該導電棒がコ形の挟持片に連接固定されて導通し、該管体と導電棒がそれぞれ電源の正負極に接続され、別に該シガレットライタにあって、外管内に内管が挿入され、且つ内管内に柱状の断熱ブロックが挿入され、該柱状の断熱ブロックの両端に内端キャップ、外端キャップが取り付けられ、並びに中心棒が内端キャップ及び柱状の断絶ブロックを通り、内端キャップ内の中心棒の末端位置に、電熱コイルが取り付けられ、且つ内管と外端キャップの間にバネが取り付けられ、また、外端キャップの外部にハンドルが取り付けられ、シガレットライタが電源ソケットに挿入された後、電源ソケットの管体の側辺の弾性片がシガレットライタの外管を挟持し、シガレットライタが押し込まれる時、管体内底面のコ形の挟持片が内管の内端キャップを挟持し、これにより回路が形成されて電熱コイルが通電し発熱する発光指示ランプを具えた自動車用シガレットライタにおいて、
　該ハンドルにあって、底管に外管座が套設され、外管座の外端に透明ハンドルが取り付けられ、外管座内にシガレットライタの回路に接続された基板が取り付けられ、該基板に少なくとも一つの発光ダイオードが取り付けられ、且つ該発光ダイオードが透明ハンドルの底端に位置し、また該外管座にシガレットライタの回路に接続されて電熱コイルを制御するのに用いられるスイッチが取り付けられ、シガレットライタが電源ソケット内に挿入され並びにハンドルが押圧されて回路が導通する時、発光ダイオードが点灯し、且つ外管座上のスイッチにより電熱コイルが導通して発熱し、該電熱コイルが高温に達した後、該電源ソケットの管体のコ形の挟持片が内管の内端キャップを釈放し、シガレットライタの内管を外向きに退出させて回路を切断し、発光ダイオードを滅灯させ、こうして、検知、指示及び照明使用に供されることを特徴とする、発光指示ランプを具えた自動車用シガレットライタ。
【請求項２】
　請求項１記載の発光指示ランプを具えた自動車用シガレットライタにおいて、発光ダイオードが単色光発光ダイオードとされたことを特徴とする、発光指示ランプを具えた自動車用シガレットライタ。
【請求項３】
　請求項１記載の発光指示ランプを具えた自動車用シガレットライタにおいて、発光ダイオードが多色光発光ダイオードとされたことを特徴とする、発光指示ランプを具えた自動車用シガレットライタ。
【請求項４】
　請求項１記載の発光指示ランプを具えた自動車用シガレットライタにおいて、基板に制御回路が設けられ、発光ダイオードが該制御回路の制御によりフラッシュ発光することを特徴とする、発光指示ランプを具えた自動車用シガレットライタ。
【考案の詳細な説明】
【技術分野】
【０００１】
　本考案は一種の発光指示ランプを具えた自動車用シガレットライタに係り、特に、自動車用シガレットライタのハンドルに発光ダイオードとスイッチが設けられ、該シガレットライタが電源ソケットに挿入されて回路が導通する時、外管座に設けられたスイッチにより基板の発光ダイオードが導通し、検知、指示及び照明機能を提供する、発光指示ランプを具えた自動車用シガレットライタに関する。
【背景技術】
【０００２】
　一般に自動車に設置されたシガレットライタの構造は、図１０、１１及び図１２に示されるようであり、電源ソケットａ及びシガレットライタｂで組成され、そのうち該電源ソケットａは管体ａ１の側辺に二つの相互に対称な弾性片１１ａが設けられ、且つ管体ａ１の内底面にコ形の挟持片ａ１２が設けられ、該コ形の挟持片ａ１２と管体ａ１の間に絶縁ブロックａ２が設けられ、並びに導電棒ａ３がコ形の挟持片ａ１２を通り、且つ該導電棒ａ３がコ形の挟持片ａ１２に連接固定され、該管体ａ１と導電棒ａ３がそれぞれ電源の正負極に接続されている。別に該シガレットライタｂは外管ｂ１内に内管ｂ２が挿入され、且つ内管ｂ２内に柱状の断熱ブロックｂ３が挿入され、該柱状の断熱ブロックｂ３の両端に内端キャップｂ４、外端キャップｂ５が取り付けられ、並びに中心棒ｂ６が内端キャップｂ４及び柱状の断絶ブロックｂ３を通り、内端キャップｂ４内の中心棒ｂ６の末端位置に、電熱コイルｂ７が取り付けられ、且つ内管ｂ２と外端キャップｂ５の間にバネｂ８が取り付けられ、また、外端キャップｂ５の外部にハンドルｂ９が取り付けられている。
【０００３】
　不使用状態の時、該シガレットライタｂは電源ソケットａに挿入された後、電源ソケットａの管体ａ１の側辺の弾性片１１ａがシガレットライタｂの外管ｂ１を挟持するだけであり、図１３に示されるとおりである。使用する時は、シガレットライタｂを押し込み、内管ｂ２を電源ソケットａの管体ａ１に向けて進入させ、これにより電源ソケットａの管体ａ１底端のコ形の挟持片ａ１２に内管ｂ２の内端キャップｂ４を挟持させる。これは図１４に示されるとおりである。該導電棒ａ３と管体ａ１はそれぞれ電源の正極、負極に接続され、且つ電源ソケットａのコ形の挟持片ａ１２と導電棒ａ３が接続されているため、該コ形の挟持片ａ１２が内端キャップｂ４を挟持した後、電流が内端キャップｂ４より電熱コイルｂ７に流れ、該シガレットライタｂの外管ｂ１が電源ソケットａの管体ａ１に接触し、電流が外管ｂ１より内管ｂ２を流れ、さらに中心棒ｂ６を流れて電熱コイルｂ７の中心に至り、これにより電流回路が形成され、電熱コイルｂ７が通電により加熱する。
【０００４】
　該電熱コイルｂ７が加熱すると同時に、該コ形の挟持片ａ１２が電熱コイルｂ７の影響を受け、一定の温度に達すると、該コ形の挟持片ａ１２が弛んで開き、この時、シガレットライタｂの内管ｂ２がバネｂ８の弾力により外管ａ１内に縮入し、こうして回路が切断され、且つこのとき、該電熱コイルｂ７が灼熱状態となっているため、煙草に火を点けるのに使用できる。
【０００５】
　シガレットライタｂが電源ソケットａに押し込まれた後、シガレットライタｂのハンドルｂ９だけが電源ソケットａの管体ａ１の口端内に進入するため、使用者はシガレットライタｂがすでに導通して加熱開始したかを判断しにくく、このため使用者がシガレットライタの使用状態を知ることができない。
【０００６】
　さらに、夜間運転時に、自動車のダッシュボードのメーターが発光するだけで、車内灯は消されて運転の安全に影響を与えないものとされるが、車内が暗くなるため、車内の雰囲気が暗く沈む。
【考案の開示】
【考案が解決しようとする課題】
【０００７】
　本考案は上述の従来の技術の欠点を鑑み、それを改善した一種の発光指示ランプを具えた自動車用シガレットライタを提供するものである。それは、シガレットライタのハンドルに発光ダイオードとスイッチを取り付け、シガレットライタを電源ソケットに挿入して回路を導通させる時に、外管座に取り付けたスイッチにより基板の発光ダイオードを導通させて、検出、指示、及び照明として使用できるようにしたものとする。
【課題を解決するための手段】
【０００８】
　請求項１の考案は、電源ソケットとシガレットライタで組成され、該電源ソケットにあって管体の側辺に二つの相互に対称な弾性片が設けられ、且つ管体の内底面にコ形の挟持片が設けられ、該コ形の挟持片と管体の間に絶縁ブロックが設けられ、導電棒がコ形の挟持片を通ると共に該導電棒がコ形の挟持片に連接固定されて導通し、該管体と導電棒がそれぞれ電源の正負極に接続され、別に該シガレットライタにあって、外管内に内管が挿入され、且つ内管内に柱状の断熱ブロックが挿入され、該柱状の断熱ブロックの両端に内端キャップ、外端キャップが取り付けられ、並びに中心棒が内端キャップ及び柱状の断絶ブロックを通り、内端キャップ内の中心棒の末端位置に、電熱コイルが取り付けられ、且つ内管と外端キャップの間にバネが取り付けられ、また、外端キャップの外部にハンドルが取り付けられ、シガレットライタが電源ソケットに挿入された後、電源ソケットの管体の側辺の弾性片がシガレットライタの外管を挟持し、シガレットライタが押し込まれる時、管体内底面のコ形の挟持片が内管の内端キャップを挟持し、これにより回路が形成されて電熱コイルが通電し発熱する発光指示ランプを具えた自動車用シガレットライタにおいて、
　該ハンドルにあって、底管に外管座が套設され、外管座の外端に透明ハンドルが取り付けられ、外管座内にシガレットライタの回路に接続された基板が取り付けられ、該基板に少なくとも一つの発光ダイオードが取り付けられ、且つ該発光ダイオードが透明ハンドルの底端に位置し、また該外管座にシガレットライタの回路に接続されて電熱コイルを制御するのに用いられるスイッチが取り付けられ、シガレットライタが電源ソケット内に挿入され並びにハンドルが押圧されて回路が導通する時、発光ダイオードが点灯し、且つ外管座上のスイッチにより電熱コイルが導通して発熱し、該電熱コイルが高温に達した後、該電源ソケットの管体のコ形の挟持片が内管の内端キャップを釈放し、シガレットライタの内管を外向きに退出させて回路を切断し、発光ダイオードを滅灯させ、こうして、検知、指示及び照明使用に供されることを特徴とする、発光指示ランプを具えた自動車用シガレットライタとしている。
　請求項２の考案は、請求項１記載の発光指示ランプを具えた自動車用シガレットライタにおいて、発光ダイオードが単色光発光ダイオードとされたことを特徴とする、発光指示ランプを具えた自動車用シガレットライタとしている。
　請求項３の考案は、請求項１記載の発光指示ランプを具えた自動車用シガレットライタにおいて、発光ダイオードが多色光発光ダイオードとされたことを特徴とする、発光指示ランプを具えた自動車用シガレットライタとしている。
　請求項４の考案は、請求項１記載の発光指示ランプを具えた自動車用シガレットライタにおいて、基板に制御回路が設けられ、発光ダイオードが該制御回路の制御によりフラッシュ発光することを特徴とする、発光指示ランプを具えた自動車用シガレットライタとしている。
【考案の効果】
【０００９】
　本考案は上述の従来の技術の欠点を改善した一種の発光指示ランプを具えた自動車用シガレットライタを提供するものであり、それは、シガレットライタのハンドルに発光ダイオードとスイッチを取り付け、シガレットライタを電源ソケットに挿入して回路を導通させる時に、外管座に取り付けたスイッチにより基板の発光ダイオードを導通させて、検出、指示、及び照明として使用できるようにしている。
【考案を実施するための最良の形態】
【００１０】
　本考案の発光指示ランプを具えた自動車用シガレットライタは、電源ソケットとシガレットライタで組成され、該シガレットライタのハンドルにあって、底管に外管座が套設され、外管座の外端に透明ハンドルが取り付けられ、外管座内にシガレットライタ回路に接続された基板が取り付けられ、該基板に発光ダイオードが取り付けられ、該発光ダイオードが透明ハンドルの底端に位置し、外管座にシガレットライタ回路に接続されたスイッチが取り付けられ、シガレットライタが電源ソケットに挿入されハンドル押圧により回路が導通する時、発光ダイオードが点灯し、外管座のスイッチにより回路が導通して電熱板が導通し発熱し、電熱板が高温に達した後、電源ソケットの管体のコ形の挟持片が内管の内端キャップを釈放し、シガレットライタの内管を外向きに退出させて回路を切断して発光ダイオードをオフし、これにより検知、指示及び照明を行なう。
【実施例１】
【００１１】
　図１、図２及び図３に示されるように、本考案は電源ソケット１とシガレットライタ２で組成され、そのうち、電源ソケット１は管体１１の側辺に二つの相互に対称な弾性片１１ａが設けられ、且つ管体１１の内底面にコ形の挟持片１２が設けられ、該コ形の挟持片１２と管体１１の間に絶縁ブロック１３が設けられ、並びに導電棒１４がコ形の挟持片１２を通り、且つ該導電棒１４がコ形の挟持片１２に連接固定されて導通し、該管体１１と導電棒１４がそれぞれ電源の正負極に接続されている。別に該シガレットライタ２は外管２１内に内管２２が挿入され、且つ内管２２内に柱状の断熱ブロック２３が挿入され、該柱状の断熱ブロック２３の両端に内端キャップ２４、外端キャップ２５が取り付けられ、並びに中心棒２６が内端キャップ２４及び柱状の断絶ブロック２３を通り、内端キャップ２４内の中心棒２６の末端位置に、電熱コイル２７が取り付けられ、且つ内管２２と外端キャップ２５の間にバネ２８が取り付けられ、また、外端キャップ２５の外部にハンドル２９が取り付けられている。
【００１２】
　シガレットライタ２が電源ソケットに挿入された後、電源ソケット１の管体１１の側辺の弾性片１１ａがシガレットライタ２の外管２１を挟持し、シガレットライタ２が押し込まれる時、管体１１底端のコ形の挟持片１２が内管２２の内端キャップ２４を挟持し、これにより回路が構成されて電熱コイル２７が通電により加熱する。本考案の特徴は以下のとおりである。
【００１３】
　該ハンドル２９にあって、底管２９ａに外管座２９ｂが套設され、外管座２９ｂの外端に透明ハンドル２９ｃが取り付けられ、外管座２９ｂ内にシガレットライタ２の回路に接続された基板２９ｄが取り付けられ、該基板２９ｄが正極導線２９ｅと負極導線２９ｆにより内端キャップ２４と外端キャップ２５に接続され、且つ該基板２９ｄに少なくとも一つの発光ダイオード２９ｇが取り付けられ、且つ該発光ダイオード２９ｇが透明ハンドル２９ｃの底端に位置し、また該外管座２９ｂにシガレットライタ２の回路に接続されて電熱コイル２７を制御するのに用いられるスイッチ２９ｈが取り付けられている。シガレットライタ２が電源ソケット１内に挿入され並びにハンドル２９が押圧されて回路が導通する時、発光ダイオード２９ｇが点灯し、且つ外管座２９ｂ上のスイッチ２９ｈが電熱コイル２７を導通させて発熱させ、該電熱コイル２７が高温に達した後、該電源ソケット１の管体１１のコ形の挟持片１２が内管２２の内端キャップ２４を釈放し、シガレットライタ２の内管２２を外向きに退出させて回路を切断し、発光ダイオード２９ｇを滅灯させ、こうして、検知、指示及び照明使用に供される。
【００１４】
　上述の構造により、シガレットライタ２を電源ソケット１に挿入した後、該電源ソケット１の管体１１の二つの対称な弾性片１１ａがまずシガレットライタ２の外管２１を挟持し、これは図４に示されるとおりである。もしシガレットライタ２のハンドル２９を更に内向きに押し込めば、電源ソケット１の管体１１の内底面のコ形の挟持片１２がシガレットライタ２の内管２２の内端キャップ２４を挟持し、これは図５に示されるとおりである。該電源ソケット１のコ形の挟持片１２は正極に接続され、該電源ソケット１の管体１１は負極に接続されているため、シガレットライタ２が電源ソケット１の管体１１に挿入された後、シガレットライタ２の内端キャップ２４が正極に接続され、正極導線２９ｅを介して電流が基板２９ｄに伝えられ、別に電源の負極は電源ソケット１の管体１１の弾性片１１ａの圧接する外管２１を介して内管２２に伝えられ、さらに内管２２より負極導線２９ｆを介して基板２９ｄに伝えられ、こうして基板２９ｄ上の発光ダイオード２９ｇが発光する。
【００１５】
　もし、シガレットライタ２で煙草に火を点けたい時は、シガレットライタ２の外管２１のスイッチ２９ｈにより回路を導通させて、電熱コイル２７を発熱させる。電熱コイル２７が灼熱状態となった時、該電源ソケット１の管体１１の内底面のコ形の挟持片１２が熱を受けて変形してシガレットライタ２の内端キャップ２４を釈放し、且つシガレットライタ２の内管２２がバネ２８により内管２２を外向きに退出させて回路を切断するため、発光ダイオード２９ｇが滅灯し、これにより使用者に電熱コイル２７が既に灼熱状態に達したことを告知し、煙草に火を点けさせることができる。こうして検知と指示の機能を提供する。
【００１６】
　さらに、もし発光ダイオード２９ｇのみを点灯させたいなら、該シガレットライタ２上のスイッチ２９ｈにより電熱コイル２７の回路を切断し、並びにシガレットライタ２を管体１１に押し込めば、発光ダイオード２９ｇを点灯させることができ、簡易照明として使用できる。
【実施例２】
【００１７】
　図６、及び図７に示される実施例では、該スイッチ２９ｈは底管２９ａの内側に導電弾性片２９ｈ１を具え、且つ該導電弾性片２９ｈ１と前述の負極導線２９ｆは一体とされ、また底管２９ａ内の中心棒２６の末端に正極導電片２９ｈ２が設けられ、該中心棒２６と正極導電片２９ｈ２が接続し導通し、且つ外管座２９ｂにプッシュボタン２９ｈ３が設けられ、該プッシュボタン２９ｈ３の下方に斜面２９ｈ３１が設けられて、該斜面２９ｈ３１が導電弾性片２９ｈ１に圧接され、プッシュボタン２９ｈ３が前向きに押されると、導電弾性片２９ｈ１が正極導電片２９ｈ２上に圧接されて、こうして電熱コイル２７の回路に接続、導通し、これにより電熱コイル２７が発熱する。これは本考案のスイッチ２９ｈの実施例であり、参考までに提示した。
【実施例３】
【００１８】
　さらに図７、８に示される実施例では、該スイッチ２９ｈは底管２９ａの内側に固定導電片２９ｈ４が設けられ、且つ該固定導電片２９ｈ４と前述の負極導線２９ｆが一体とされ、また底管２９ａ内に位置する中心棒２６の末端に正極導電弾性片２９ｈ５が設けられ、中心棒２６と正極導電弾性片２９ｈ５が接続され導通し、且つ外管座２９ｂにプッシュボタン２９ｈ３が取り付けられ、該プッシュボタン２９ｈ３の下方にスライド板２９ｈ３２が設けられ、該スライド板２９ｈ３２に穿孔２９ｈ３３が設けられ、該正極導電弾性片２９ｈ５に凸点２９ｈ５１が設けられ、該凸点２９ｈ５１がスライド板２９ｈ３２の穿孔２９ｈ３３内に位置し、プッシュボタン２９ｈ３が前向きに押されると、正極導電弾性片２９ｈ５の凸点２９ｈ５１が固定導電片２９ｈ４に接近し、こうして電熱コイル２７の回路に接続され導通し、電熱コイル２７を発熱させる。これは本考案のスイッチ２９ｈのもう一つの実施例であり、参考までに提示した。
【実施例４】
【００１９】
　このほか、該発光ダイオード２９ｇは単色光発光ダイオード或いは多色光発光ダイオードとされ、且つ基板２９ｄは制御回路を具え、且つ該発光ダイオード２９ｇは制御回路の制御を受けてフラッシュ発光可能で、これは本考案の発光ダイオード２９ｇの実施例であり、参考までに提示した。
【００２０】
　総合すると、本考案の構造は従来にはなく、且つ確実に上述の効果を達成し、実用新案登録の要件を具備している。
【図面の簡単な説明】
【００２１】
【図１】本考案の斜視図である。
【図２】本考案の分解斜視図である。
【図３】本考案の電源ソケットとシガレットライタの断面図である。
【図４】本考案の電源ソケットとシガレットライタの組合せ後の断面図である。
【図５】本考案の電源ソケットにシガレットライタを押し込んだ後の断面図である。
【図６】本考案のスイッチの導通前の断面図である。
【図７】本考案のスイッチの導通後の断面図である。
【図８】本考案のもう一つのスイッチの実施例の導通前の断面図である。
【図９】本考案のもう一つのスイッチの実施例の導通後の断面図である。
【図１０】周知の技術の斜視図である。
【図１１】周知の技術の分解斜視図である。
【図１２】周知の技術の電源ソケットとシガレットライタの断面図である。
【図１３】周知の技術の電源ソケットにシガレットライタ挿入後の断面図である。
【図１４】周知の技術の電源ソケットにシガレットライタを押し込んだ後の断面図である。
【符号の説明】
【００２２】
１　電源ソケット　　　　　　　１１　管体
１１ａ　弾性片　　　　　　　　１２　コ形の挟持片
１３　絶縁ブロック　　　　　　１４　導電棒
２　シガレットライタ　　　　　２１　外管
２２　内管　　　　　　　　　　２３　柱状の断熱ブロック
２４　内端キャップ　　　　　　２５　外端キャップ
２６　中心棒　　　　　　　　　２７　電熱コイル
２８　バネ　　　　　　　　　　２９　ハンドル
２９ａ　底管　　　　　　　　　２９ｂ　外管座
２９ｃ　透明ハンドル　　　　　２９ｄ　基板
２９ｅ　正極導線　　　　　　　２９ｆ　負極導線
２９ｇ　発光ダイオード　　　　２９ｈ　スイッチ
２９ｈ１　導電弾性片　　　　　２９ｈ２　正極導電片
２９ｈ３　プッシュボタン　　　２９ｈ３１　斜面
２９ｈ３２　スライド板　　　　２９ｈ３３　穿孔
２９ｈ４　固定導電片　　　　　２９ｈ５　正極導電弾性片
２９ｈ５１　凸点
【図１】
0003099612.tif 000003
【図２】
0003099612.tif 000004
【図３】
0003099612.tif 000005
【図４】
0003099612.tif 000006
【図５】
0003099612.tif 000007
【図６】
0003099612.tif 000008
【図７】
0003099612.tif 000009
【図８】
0003099612.tif 000010
【図９】
0003099612.tif 000011
【図１０】
0003099612.tif 000012
【図１１】
0003099612.tif 000013
【図１２】
0003099612.tif 000014
【図１３】
0003099612.tif 000015
【図１４】
0003099612.tif 000016